(57)【要約】【課題】操作キーを増加させることができ、操作入力時でも小型にすることが可能な入力装置を提供する。【解決手段】入力装置１Ａは、第１操作パネル３と、第２操作パネル５と、支持機構７とを備える。第１操作パネル３は、操作パネル面３１ａを有する。第２操作パネル５は、操作パネル面３１ａ上に配置され、操作パネル面３１ａに対する専有面積が操作パネル面３１ａよりも小さい。支持機構７は、第２操作パネル５を操作パネル面３１ａの面内で移動可能に支持する。第１操作パネル３は、操作パネル面３１ａに配置された複数の操作キー３２を有する。第２操作パネル５は、複数の操作キー３２のうち、１つ以上の操作キーを覆い隠し、残りの操作キーを露出させる。第２操作パネル５は、操作パネル面３１ａでの第２操作パネル５の位置に応じて異なる操作キーを覆い隠す。【選択図】図１
2017010156.tif 000002
【特許請求の範囲】
【請求項１】
操作パネル面を有する第１操作パネルと、
前記操作パネル面上に配置され、前記操作パネル面に対する専有面積が前記操作パネル面よりも小さい第２操作パネルと、
前記第２操作パネルを前記操作パネル面の面内で移動可能に支持する支持機構と、
を備え、
前記第１操作パネルは、前記操作パネル面に配置された複数の操作キーを有し、
前記第２操作パネルは、前記複数の操作キーのうち、１つ以上の操作キーを覆い隠し、残りの操作キーを露出させ、
前記第２操作パネルは、前記操作パネル面での前記第２操作パネルの位置に応じて異なる前記操作キーを覆い隠す、入力装置。
【請求項２】
前記第２操作パネルは、表示部を有し、
前記操作パネル面での前記第２操作パネルの位置を検出する位置検出部と、
複数の操作画面のうち、前記位置検出部によって検出された位置に対応する操作画面を前記表示部に表示させる表示制御部と、
を更に備える、請求項１に記載の入力装置。
【請求項３】
前記支持機構は、
前記第１操作パネルに配置された一対のガイドレールと、
前記第２操作パネルに配置された一対の係合部と、
を備え、
前記一対のガイドレールは、互いに間隔を空けて平行に配置され、
前記一対の係合部の各々はそれぞれ、前記一対のガイドレールの各々に係合し、
前記係合部が前記ガイドレールの長手方向に沿って摺動することで、前記第２操作パネルが前記操作パネル面の面内で移動する、請求項１又は請求項２に記載の入力装置。
【請求項４】
前記支持機構は、前記第２操作パネルを前記操作パネル面の横方向に移動可能に支持する、請求項１〜請求項３の何れかの１項に記載の入力装置。
【請求項５】
前記支持機構は、前記第２操作パネルを前記操作パネル面の縦方向に移動可能に支持する、請求項１〜請求項３の何れかの１項に記載の入力装置。
【請求項６】
前記位置検出部は、
前記第１操作パネル及び前記第２操作パネルのうちの一方に配置された複数の第１接点と、
前記第１操作パネル及び前記第２操作パネルのうちの他方に配置された第２接点と、
を備え、
前記複数の第１接点は、前記操作パネル面での前記第２操作パネルの移動方向に沿って一列に配置され、
前記第２接点は、前記操作パネル面での前記第２操作パネルの位置に応じて異なる前記第１接点と接触する、請求項２に記載の入力装置。
【請求項７】
前記位置検出部は、
前記第１操作パネル及び前記第２操作パネルのうちの一方に配置された発光部及び受光部と、
前記第１操作パネル及び前記第２操作パネルのうちの他方に配置された遮光部と、
を備え、
前記受光部は、前記発光部との間隔を空けて対向して配置され、前記発光部が発光する光を受光し、
前記遮光部は、前記操作パネル面での前記第２操作パネルの位置に応じて、前記光を遮光する、請求項２に記載の入力装置。
【請求項８】
前記第２操作パネルを前記操作パネル面の面内で移動させる駆動機構と、
前記第２操作パネルが前記操作パネル面の面内で移動するように、前記駆動機構を制御する駆動制御部と、
を更に備える、請求項１〜請求項７の何れかの１項に記載の入力装置。
【請求項９】
前記駆動機構は、
前記第２操作パネルに配置されたラックギヤと、
前記第１操作パネルに回転可能に配置され、前記ラックギヤと噛合されたギヤと、
前記ギヤを正回転方向又は逆回転方向に回転させる電動機と、
を備え、
前記ラックギヤは、前記操作パネル面での前記第２操作パネルの移動方向に沿って前記第２操作パネルに配置される、請求項８に記載の入力装置。
【請求項１０】
複数の操作入力モードの中から一の操作入力モードが選択可能な選択キーを更に備え、
前記駆動制御部は、前記選択キーによって選択された前記操作入力モードに対応する対応位置に前記第２操作パネルが移動するように、前記駆動機構を制御する、請求項８又は請求項９に記載の入力装置。
【請求項１１】
前記操作パネル面での前記第２操作パネルの位置を検出する位置検出部を更に備え、
前記駆動制御部は、前記位置検出部の検出結果に基づいて、前記第２操作パネルが前記対応位置に移動されたことを検出すると、前記駆動機構の作動を止める、請求項１０に記載の入力装置。
【請求項１２】
前記第１操作パネルは、前記複数の操作キーとして複数のメカニカルキーを有し、
前記第２操作パネルは、タッチパネルを有する、請求項１〜請求項１１の何れかの１項に記載の入力装置。
【請求項１３】
請求項１〜請求項１２の何れかの１項に記載の入力装置と、
前記入力装置に入力された操作に応じて作動する機器本体と、
を備える電子機器。
【発明の詳細な説明】
【技術分野】
【０００１】
本発明は、電子機器（例えばデジタル複合機）に対する操作が入力可能な入力装置に関する。
【背景技術】
【０００２】
近年、デジタル複合機では、多機能化に伴って操作キーが増加する傾向にある。このため、デジタル複合機では、操作キーが配置される入力装置が大型化する傾向にある。
【０００３】
特許文献１には、入力装置の大型化を抑制しつつ、操作キーを増加させることができる入力装置が開示されている。特許文献１に記載の入力装置は、タッチパネルとキーボードとを備える。キーボードは、タッチパネルの裏側に配置される。例えば、利用者がキーボードを操作しない場合は、キーボードは、タッチパネルの裏側に収納される。利用者がキーボードを操作する場合は、キーボードは、利用者によってタッチパネルの側方に引き出される。この結果、キーボード全体が露出する。
【先行技術文献】
【特許文献】
【０００４】
【特許文献１】特開２０１２−９８３８５号公報
【発明の概要】
【発明が解決しようとする課題】
【０００５】
しかしながら、特許文献１に記載の入力装置では、利用者がキーボードを操作する場合は、キーボードはタッチパネルの外側に引き出される。その結果、入力装置の専有面積はタッチパネルとキーボードとの２つ分となり、入力装置は大型になる。従って、利用者がキーボードを操作する場合は、入力装置の大型化の問題は解決されていない。
【０００６】
本発明は上記課題に鑑みてなされたものであり、その目的は、操作キーを増加させることができ、操作入力時でも小型にすることが可能な入力装置、及び入力装置を備えた電子機器を提供することにある。
【課題を解決するための手段】
【０００７】
本発明に係る入力装置は、第１操作パネルと、第２操作パネルと、支持機構と、を備える。前記第１操作パネルは、操作パネル面を有する。前記第２操作パネルは、前記操作パネル面上に配置され、前記操作パネル面に対する専有面積が前記操作パネル面よりも小さい。前記支持機構は、前記第２操作パネルを前記操作パネル面の面内で移動可能に支持する。前記第１操作パネルは、前記操作パネル面に配置された複数の操作キーを有し、前記第２操作パネルは、前記複数の操作キーのうち、１つ以上の操作キーを覆い隠し、残りの操作キーを露出させ、前記第２操作パネルは、前記操作パネル面での前記第２操作パネルの位置に応じて異なる前記操作キーを覆い隠す。
【０００８】
本発明に係る電子機器は、上記の入力装置と、機器本体とを備える。前記機器本体は、前記入力装置に入力された操作に応じて作動する。
【発明の効果】
【０００９】
本発明によれば、操作キーを増加させることができ、操作入力時でも小型にすることが可能な入力装置、及び入力装置を備えた電子機器を提供できる。
【図面の簡単な説明】
【００１０】
【図１】第１実施形態に係る入力装置の平面図であって、第２操作パネルが操作パネル面上の所定位置に配置された状態を示す図である。
【図２】第１実施形態に係る入力装置の平面図であって、第２操作パネルが操作パネル面上の他の所定位置に配置された状態を示す図である。
【図３】図１のIII-III線に沿った断面図である。
【図４】図１のIV-IV線に沿った断面図である。
【図５】コピー機能を操作するための操作画面の一例を示す図である。
【図６】ファクス送信機能を操作するための操作画面の一例を示す図である。
【図７】第２実施形態に係る入力装置の平面図であって、第２操作パネルが操作パネル面上の所定位置に配置された状態を示す図である。
【図８】第２実施形態に係る入力装置の平面図であって、第２操作パネルが操作パネル面上の他の所定位置に配置された状態を示す図である。
【図９】第２実施形態に係る入力装置の平面図であって、第２操作パネルが操作パネル面上の更に他の所定位置に配置された状態を示す図である。
【図１０】第３実施形態に係る入力装置の平面図である。
【図１１】図１０のXI-XI線に沿った断面図である。
【図１２】第３実施形態に係る入力装置の動作を示したフローチャートである。
【図１３】第４実施形態に係るデジタル複合機の概略構成を示したブロック図である。
【発明を実施するための形態】
【００１１】
＜第１実施形態＞
以下、本発明の実施形態に係る入力装置について、図面を参照しながら説明する。なお、図中、同一又は相当部分については同一の参照符号を付して説明を繰り返さない。
【００１２】
図１及び図２を参照して、本実施形態に係る入力装置について説明する。図１及び図２は、本実施形態に係る入力装置の平面図であり、図１は、第２操作パネルが操作パネル面上の所定位置に配置された状態を示す図であり、図２は、第２操作パネルが操作パネル面上の他の所定位置に配置された状態を示す図である。
【００１３】
本実施形態に係る入力装置１Ａは、電子機器の一例としてデジタル複合機に搭載され、デジタル複合機に対する操作が入力される。デジタル複合機は、複数の機能（例えばコピー機能及びファクス送信機能）を有するデジタル方式の複写機である。
【００１４】
図１に示すように、本実施形態に係る入力装置１Ａは、第１操作パネル３と、第２操作パネル５と、支持機構７と、位置検出部９と、表示制御部１１と、記憶部１３とを備える。なお、図１では、作図の便宜上、表示制御部１１及び記憶部１３は、第１操作パネル３の外部に図示されるが、実際は、例えば第１操作パネル３に配置される。
【００１５】
第１操作パネル３は、デジタル複合機に対する操作が入力される。第１操作パネル３は、例えばメカニカル操作キー式の操作パネルである。従って、第１操作パネル３によって、所望の操作キーをメカニカル操作キーとして配置するスペースを確保できる。
【００１６】
第１操作パネル３は、パネル本体３１と、複数の操作キー３２とを備える。パネル本体３１は、例えば、扁平で横長の直方体形の箱状である。パネル本体３１は、その上面である操作パネル面３１ａを有する。
【００１７】
複数の操作キー３２は、操作パネル面３１ａに配置される。複数の操作キー３２は、例えば押しボタン式の操作キーである。複数の操作キー３２は、デジタル複合機の各機能毎に区分けされて配置される。本実施形態では、複数の操作キー３２は、デジタル複合機の各機能毎に、操作パネル面３１ａの横方向Ｈ１に沿って区分される。具体的には、複数の操作キー３２は、複数の操作キー３２ａと、複数の操作キー３２ｂと、複数の操作キー３２ｃとを含む。
【００１８】
複数の操作キー３２ａは、デジタル複合機のコピー機能を操作する操作キーである。複数の操作キー３２ａには、例えば、印字の色をカラー及び白黒の何れかに選択する選択キーが含まれる。複数の操作キー３２ａは、例えば、操作パネル面３１ａにおける横方向Ｈ１の一端側（例えば操作パネル面３１ａの左端側）に配置される。複数の操作キー３２ｂは、デジタル複合機のファクス送信機能を操作する操作キーである。複数の操作キー３２ｂは、例えばテンキー等である。複数の操作キー３２ｂは、例えば、操作パネル面３１ａにおける横方向Ｈ１の他端側（例えば操作パネル面３１ａの右端側）に配置される。複数の操作キー３２ｃは、デジタル複合機の各機能に共通の操作キー、又はデジタル複合機の機能を問わず使用する可能性がある操作キーである。複数の操作キー３２ｃには、例えばスタートボタン３２ｃ１が含まれる。複数の操作キー３２ｃは、例えば、操作パネル面３１ａにおける横方向Ｈ１の他端側の最端（例えば操作パネル面３１ａの最右端）に配置される。
【００１９】
第１操作パネル３は、複数の操作キー３２が操作されると、当該操作キー３２が操作された旨の信号を外部（即ちデジタル複合機の制御部）に出力する。
【００２０】
第２操作パネル５は、デジタル複合機に対する操作が入力される。第２操作パネル５は、例えばタッチパネル式の操作パネルである。従って、第２操作パネル５に複数の操作画面を選択的に表示できる。この結果、デジタル複合機の多機能化に対応できる。
【００２１】
また、第２操作パネル５は、第１操作パネル３の操作パネル面３１ａ上に配置される。従って、第１操作パネル３と第２操作パネル５との２つの操作パネルが備えられても、入力装置１Ａの専有面積は操作パネル１つ分であるため、入力装置１Ａを小型にすることが可能である。また、第２操作パネル５は、操作パネル面３１ａの面内で移動可能に支持される。即ち、第２操作パネル５は、操作パネル面３１ａの外側には張り出されない。従って、操作パネル面３１ａでの第２操作パネル５の位置に関係なく、入力装置１Ａの専有面積は操作パネル１つ分であるため、入力装置１Ａを小型にすることが可能である。
【００２２】
また、第２操作パネル５は、複数の操作キー３２のうち、１つ以上の操作キーを覆い隠し、残りの操作キーを露出させる。そして、第２操作パネル５は、操作パネル面３１ａでの位置に応じて異なる操作キー３２を覆い隠す。この結果、複数の操作キー３２の各々は選択的に露出可能である。即ち、第１操作パネル３に操作を入力する際は、複数の操作キー３２のうち、操作する操作キーを選択的に露出させる。この操作入力の際も、入力装置１Ａの専有面積は操作パネル１つ分であるため、入力装置１Ａを小型にすることが可能である。
【００２３】
第２操作パネル５は、パネル本体５１と、タッチパネル５２とを備える。パネル本体５１は、扁平な直方体形の箱状である。操作パネル面３１ａに対するパネル本体５１の専有面積は、操作パネル面３１ａよりも小さい。従って、第２操作パネル５は、操作パネル面３１ａの面内で移動可能である。具体的には、本実施形態では、パネル本体５１における横方向Ｈ１の長さは、操作パネル面３１ａにおける横方向Ｈ１の長さよりも短い。また、パネル本体５１における縦方向Ｈ２の長さは、操作パネル面３１ａにおける縦方向Ｈ２の長さよりも同じ又は短い。
【００２４】
タッチパネル５２は、表示部５２ａと、タッチセンサー５２ｂとを備える。表示部５２ａは、パネル本体５１の上面５１ａに配置される。表示部５２ａは、表示制御部１１の制御に従って、複数の操作画面の中から一の操作画面を表示する。各操作画面は、デジタル複合機の各機能に対応しており、それら各機能を操作するためのボタン画像が表示される。表示部５２ａは、薄型の表示装置（例えば液晶表示装置）である。タッチセンサー５２ｂは、表示部５２ａに対する利用者のタッチ位置を検出する。タッチセンサー５２ｂは、例えばマルチタッチ検出可能な静電容量式のタッチセンサーである。タッチセンサー５２ｂは、表示部５２ａに配置される。
【００２５】
利用者が、表示部５２ａに表示された操作画面の所望位置をタッチすると、そのタッチ位置をタッチセンサー５２ｂが検出する。そして、タッチパネル５２は、検出されたタッチ位置に関する信号を外部（即ちデジタル複合機の制御部）に出力する。
【００２６】
第２操作パネル５は、デジタル複合機の各機能に対する操作が入力装置１Ａに入力される際、操作パネル面３１ａにおいてデジタル複合機の各機能に応じて異なる所定位置に移動される。具体的には、第２操作パネル５は、コピー機能に対応する操作が入力装置１Ａに入力される際は、所定位置Ｐ１に移動される。所定位置Ｐ１は、コピー機能に対応する位置である。所定位置Ｐ１では、第２操作パネル５は、コピー機能を操作しない操作キー３２ｂを覆い隠し、コピー機能を操作するための操作キー３２ａ，３２ｃを露出させる。
【００２７】
支持機構７は、第２操作パネル５を操作パネル面３１ａの面内で移動可能に支持する。具体的には、支持機構７は、第２操作パネル５を操作パネル面３１ａの横方向Ｈ１に移動可能に支持する。支持機構７は、一対のガイドレール７１と、移動台７２とを備える。
【００２８】
一対のガイドレール７１は、移動台７２を操作パネル面３１ａの横方向Ｈ１に案内する。各ガイドレール７１は、操作パネル面３１ａに配置される。詳しくは、各ガイドレール７１は、操作パネル面３１ａにおける縦方向Ｈ２の両側に配置され、操作パネル面３１ａの横方向Ｈ１に沿って伸びており、互いに平行である。
【００２９】
位置検出部９は、操作パネル面３１ａでの第２操作パネル５の位置を検出する。詳しくは、位置検出部９は、第２操作パネル５が、複数の所定位置Ｐ１，Ｐ２のうちのどの所定位置に配置されたかを検出する。
【００３０】
図２に示すように、ファクス送信機能に対応する操作が入力装置１Ａに入力される際は、第２操作パネル５は、所定位置Ｐ２に移動される。所定位置Ｐ２は、ファクス送信機能に対応する位置である。所定位置Ｐ２では、第２操作パネル５は、ファクス送信機能を操作しない操作キー３２ａを覆い隠し、ファクス送信機能を操作するための操作キー３２ｂ，３２ｃを露出させる。
【００３１】
なお、所定位置Ｐ１及び所定位置Ｐ２は、第２操作パネル５の左辺５Ｌを基準とした位置である。即ち、第２操作パネル５の左辺５Ｌが所定位置Ｐ１又は所定位置Ｐ２に配置されることによって、第２操作パネル５が当該所定位置に配置される。
【００３２】
次に図３を参照して、ガイドレール７１について詳しく説明する。図３は、図１のIII-III線に沿った断面図である。
【００３３】
各ガイドレール７１は、凹溝７１ａを有する。凹溝７１ａは、ガイドレール７１の対向側面７１ｂに設けられ、対向側面７１ｂの長手方向（即ち横方向Ｈ１）に沿って伸びている。凹溝７１ａにおける長手方向の両端は、閉じている。対向側面７１ｂは、一方のガイドレール７１において他方のガイドレール７１と対向する側面である。
【００３４】
移動台７２は、第２操作パネル５が配置される台であり、ガイドレール７１に沿って移動可能である。移動台７２は、台部７２ａと、一対の係合部７２ｂとを有する。台部７２ａは、例えば矩形（例えば第２操作パネル５の裏面５１ｂと略同形同大の矩形）の板状である。台部７２ａの前面７２ｃに、第２操作パネル５が配置される。この配置では、第２操作パネル５の横方向Ｈ１は、移動台７２の移動方向と一致する。
【００３５】
一対の係合部７２ｂは、台部７２ａの裏面７２ｇにおける縦方向Ｈ２の両側（例えば両端）に設けられている。係合部７２ｂは、基部７２ｄと先端部７２ｅとを有する。基部７２ｄは、裏面７２ｇの後側に突出されている。先端部７２ｅは、基部７２ｄの先端から、一対の係合部７２ｂの対向方向（即ち縦方向Ｈ２）の外側に延設されている。係合部７２ｂは、台部７２ａの横方向Ｈ１に沿って、台部７２ａにおける横方向Ｈ１の両端の間に亘って延設されている。係合部７２ｂの先端部７２ｅは、ガイドレール７１の凹溝７１ａ内に摺動可能に係合される。
【００３６】
支持機構７では、先端部７２ｅが凹溝７１ａに沿って摺動することで、移動台７２がガイドレール７１に沿って移動される。この結果、第２操作パネル５が操作パネル面３１ａの面内を横方向Ｈ１に移動される。
【００３７】
次に図４を参照して、位置検出部９について詳しく説明する。図４は、図１のIV-IV線に沿った断面図である。
【００３８】
位置検出部９は、図４に示すように、電源回路９１と、複数（例えば２個）の可動接点９２（第１接点）と、カバー９３と、固定接点９４（第２接点）とを備える。電源回路９１は、固定接点９４に電圧を印加する。電源回路９１は、例えば第２操作パネル５に配置される。
【００３９】
可動接点９２は、固定接点９４と電気的に接触することで、電気信号を表示制御部１１に出力する。可動接点９２は、操作パネル面３１ａに配置される。可動接点９２は、第２操作パネル５の横方向Ｈ１に沿って互いに間隔を空けて一列に配置される。具体的には、可動接点９２は、一方のガイドレール７１の内側に配置され、ガイドレール７１に沿って配置される。複数（即ち２個）の可動接点９２の各々はそれぞれ、複数の所定位置Ｐ１，Ｐ２の各々に対応している。
【００４０】
可動接点９２は、接点９２ａと、支持部９２ｂと、付勢手段９２ｃとを備える。接点９２ａは、導電部材によって形成され、例えば半球形である。支持部９２ｂは、接点９２ａを操作パネル面３１ａに垂直な方向に移動可能に支持する。付勢手段９２ｃは、例えば巻きバネである。付勢手段９２ｃは、接点９２ａを操作パネル面３１ａから離反する方向に付勢する。
【００４１】
カバー９３は、複数の可動接点９２を収容する。カバー９３は、例えば細長な直方体形の箱状である。カバー９３の下面９３ｃは開放している。カバー９３は、操作パネル面３１ａに配置される。カバー９３は、ガイドレール７１に沿って配置され、複数の可動接点９２を覆う。カバー９３の上面９３ａは、複数（例えば２個）の開口９３ｂを有する。開口９３ｂは、例えば円形である。開口９３ｂは、可動接点９２の真上に配置される。
【００４２】
固定接点９４は、導電部材によって形成され、例えば半球形である。固定接点９４は、台部７２ａの裏面７２ｇに配置される。即ち、固定接点９４は、台部７２ａを介して第２操作パネル５の裏面５１ｂに配置される。固定接点９４は、カバー９３の上面９３ａと当接され、第２操作パネル５における横方向Ｈ１の移動に伴って上面９３ａを摺動する。
【００４３】
位置検出部９では、操作パネル面３１ａでの第２操作パネル５の移動に伴って、固定接点９４がカバー９３の上面９３ａを摺動する。そして、第２操作パネル５が所定位置Ｐ１又は所定位置Ｐ２に配置されると、固定接点９４が一方の開口９３ｂに嵌って、当該開口９３ｂの真下の可動接点９２と電気的に接触する。即ち、固定接点９４が、当該所定位置に対応する一方の可動接点９２と電気的に接触する。この結果、固定接点９４に印加された電圧が当該可動接点９２に印加され、当該可動接点９２から電気信号が出力される。そして、出力された電気信号は、表示制御部１１に入力される。
【００４４】
表示制御部１１は、複数の操作画面のうち、位置検出部９によって検出された位置に対応する操作画面を表示部５２ａに表示させる。
【００４５】
詳しくは、表示制御部１１は、位置検出部９から信号を受信すると、その受信信号が、複数の可動接点９２のうちのどの可動接点９２から出力された信号であるかを判定し、その判定によって、第２操作パネル５が配置される位置（即ち所定位置Ｐ１又は所定位置Ｐ２）を検出する。そして、表示制御部１１は、記憶部１３に記憶されている複数の操作画面のうち、検出された所定位置Ｐ１又は所定位置Ｐ２に対応する操作画面を表示部５２ａに表示させる。各所定位置Ｐ１，Ｐ２は、デジタル複合機の各機能（コピー機能及びファクス送信機能）に対応している。従って、表示制御部１１は、検出された所定位置に応じて、デジタル複合機の機能のうち当該所定位置に対応する機能を操作するための操作画面を表示する。
【００４６】
例えば、所定位置Ｐ１はコピー機能に対応している。従って、位置検出部９によって所定位置Ｐ１が検出された場合は、表示部５２ａには、コピー機能を操作するための操作画面Ｇ１が表示される。また、所定位置Ｐ２はファクス送信機能に対応している。従って、位置検出部９によって所定位置Ｐ２が検出された場合は、表示部５２ａには、ファクス送信機能の操作画面Ｇ２が表示される。
【００４７】
図５及び図６を参照して、操作画面Ｇ１及び操作画面Ｇ２の一例を説明する。図５は、コピー機能を操作するための操作画面Ｇ１の一例であり、図６は、ファクス送信機能を操作するための操作画面Ｇ２の一例である。
【００４８】
操作画面Ｇ１は、図５に示すように、コピーの設定を調整するためのボタン画像として、「用紙選択」、「縮小率／拡大率」、「濃度」、「両面／分割」、「ページ集約」及び「ステープル／パンチ」の各ボタン画像を含む。また、操作画面Ｇ２は、図６に示すように、送信原稿の画質を調整するためのボタン画像として、「文書＋写真」、「写真」及び「文書」の各ボタン画像を含む。
【００４９】
次に図１，図２及び図４を参照して、本実施形態に係る入力装置１Ａの動作を説明する。
【００５０】
コピー機能に対する操作が入力装置１Ａに入力される場合は、図１に示すように、利用者は、第２操作パネル５を操作パネル面３１ａの所定位置Ｐ１に移動させる。所定位置Ｐ１は、コピー機能に対応する位置である。この配置では、第２操作パネル５は、コピー機能の操作に必要の無い操作キー３２ｂを覆い隠し、コピー機能を操作するための操作キー３２ａ，３２ｃを露出させる。また、この配置では、固定接点９４は、カバー９３の一方の開口９３ｂに嵌って、所定位置Ｐ１に対応した可動接点９２と電気的に接触する（図４参照）。この結果、当該可動接点９２から電気信号が出力され、出力された電気信号が表示制御部１１に入力される。
【００５１】
そして、表示制御部１１は、当該可動接点９２からの電気信号を受信することで、第２操作パネル５が所定位置Ｐ１に配置された事を検出する。そして、表示制御部１１は、記憶部１３に記憶された複数の操作画面のうち、所定位置Ｐ１に対応する操作画面（即ちコピー機能に対応する操作画面）Ｇ１を表示部５２ａに表示させる。利用者は、操作画面Ｇ１と、第１操作パネル３において露出された操作キー３２ａ，３２ｃとを操作して、コピー機能に対する操作を入力する。
【００５２】
また、ファクス送信機能に対する操作が入力装置１Ａに入力される場合は、図２に示すように、利用者は、第２操作パネル５を操作パネル面３１ａの所定位置Ｐ２に移動させる。所定位置Ｐ２は、ファクス送信機能に対応する位置である。この配置では、第２操作パネル５は、ファクス送信機能の操作に必要の無い操作キー３２ａを覆い隠し、ファクス送信機能を操作するための操作キー３２ｂ，３２ｃを露出させる。また、この配置では、固定接点９４は、カバー９３の他方の開口９３ｂに嵌って、所定位置Ｐ２に対応した可動接点９２と電気的に接触する。この結果、当該可動接点９２から電気信号が出力され、出力された電気信号が表示制御部１１に入力される。
【００５３】
そして、表示制御部１１は、当該可動接点９２からの電気信号を受信することで、第２操作パネル５が所定位置Ｐ２に配置された事を検出する。そして、表示制御部１１は、記憶部１３に記憶された複数の操作画面のうち、所定位置Ｐ２に対応する操作画面（即ちファクス送信機能に対応する操作画面）Ｇ２を表示部５２ａに表示させる。利用者は、操作画面Ｇ２と、第１操作パネル３において露出された操作キー３２ｂ，３２ｃとを操作して、ファクス送信機能に対する操作を入力する。
【００５４】
＜第１実施形態の変形例１＞
図４に示すように、第１実施形態では、固定接点９４が移動台７２の裏面７２ｇに配置され、複数の可動接点９２及びカバー９３が操作パネル面３１ａに配置されるが、固定接点９４が操作パネル面３１ａに配置され、複数の可動接点９２及びカバー９３が移動台７２の裏面７２ｇに配置されてもよい。
【００５５】
＜第２実施形態＞
以下、図７〜図９を参照して、本実施形態に係る入力装置について説明する。図７〜図９は、本実施形態に係る入力装置の平面図であり、図７は、第２操作パネルが操作パネル面上の所定位置に配置された状態を示す図であり、図８は、第２操作パネルが操作パネル面上の他の所定位置に配置された状態を示す図であり、図９は、第２操作パネルが操作パネル面上の更に他の所定位置に配置された状態を示す図である。
【００５６】
本実施形態に係る入力装置１Ｂは、第１実施形態に係る入力装置１Ａと比べて、下記の点が異なる。即ち、第１実施形態では、第２操作パネル５は、操作パネル面３１ａの横方向Ｈ１に移動可能であったが、本実施形態では、第２操作パネル５は、操作パネル面３１ａの縦方向Ｈ２に移動可能である。また、第１実施形態では、電子機器は２つの機能を有し、操作パネル面３１ａには２つの所定位置Ｐ１，Ｐ２が設定されたが、本実施形態では、電子機器は３つの機能を有し、操作パネル面３１ａには３つの所定位置Ｐ３，Ｐ４，Ｐ５が設定される。以下、本実施形態について、第１実施形態と異なる点を中心に説明する。なお、図７〜図９では、第１実施形態の構成要素と対応する構成要素には同じ符号が付されている。
【００５７】
本実施形態の第１操作パネル３では、複数の操作キー３２は、電子機器の各機能毎に、操作パネル面３１ａの縦方向Ｈ２に沿って区分される。具体的には、複数の操作キー３２は、上から順に、複数の操作キー３２ｈと、複数の操作キー３２ｉと、複数の操作キー３２ｊと、複数の操作キー３２ｋとを含む。以上の点が異なる以外は、本実施形態の第１操作パネル３の構成及び機能は、第１実施形態の第１操作パネル３と同じである。
【００５８】
本実施形態の第２操作パネル５では、パネル本体５１における横方向Ｈ１の長さは、第１操作パネル３の操作パネル面３１ａにおける横方向Ｈ１の長さと同じ又は短い。また、パネル本体５１における縦方向Ｈ２の長さは、操作パネル面３１ａにおける縦方向Ｈ２の長さより短い。以上の点が異なる以外は、本実施形態の第２操作パネル５の構成及び機能は、第１実施形態の第２操作パネル５と同じである。
【００５９】
本実施形態の支持機構７は、第２操作パネル５を操作パネル面３１ａの縦方向Ｈ２に移動可能に支持する。本実施形態の支持機構７では、一対のガイドレール７１は、移動台７２を操作パネル面３１ａの縦方向Ｈ２に案内する。各ガイドレール７１は、操作パネル面３１ａにおける横方向Ｈ１の両側（両端）に配置され、操作パネル面３１ａの縦方向Ｈ２に沿って伸びている。以上の点が異なる以外は、本実施形態の支持機構７の構成及び機能は、第１実施形態の支持機構７と同じである。
【００６０】
図７に示すように、本実施形態の操作パネル面３１ａには、３つの所定位置Ｐ３，Ｐ４，Ｐ５が設定されている。３つの所定位置Ｐ３，Ｐ４，Ｐ５の各々は、電子機器の３つの機能の各々に対応する。電子機器の各機能に対する操作が入力装置１Ｂに入力される際、第２操作パネル５は、電子機器の各機能に対応する所定位置に移動され配置される。なお、各所定位置Ｐ３，Ｐ４，Ｐ５は、第２操作パネル５の上辺５Ｕを基準とした位置である。即ち、第２操作パネル５の上辺５Ｕが所定位置Ｐ３、所定位置Ｐ４又は所定位置Ｐ５に配置されることによって、第２操作パネル５が当該所定位置に配置される。
【００６１】
そして、図７に示すように、第２操作パネル５が所定位置Ｐ３に配置された場合は、第２操作パネル５は、操作キー３２ｉ，３２ｊを覆い隠し、操作キー３２ｈ，３２ｋを露出させる。また、図８に示すように、第２操作パネル５が所定位置Ｐ４に配置された場合は、第２操作パネル５は、操作キー３２ｈ，３２ｉを覆い隠し、操作キー３２ｊ，３２ｋを露出させる。また、図９に示すように、第２操作パネル５が所定位置Ｐ５に配置された場合は、第２操作パネル５は、操作キー３２ｊ，３２ｋを覆い隠し、操作キー３２ｈ，３２ｉを露出させる。
【００６２】
＜第３実施形態＞
以下、図１０を参照して、本実施形態に係る入力装置について説明する。図１０は、本実施形態に係る入力装置の平面図である。
【００６３】
第１実施形態では、手動によって、第２操作パネル５が操作パネル面３１ａの内面で移動されたが、本実施形態では、電動によって、第２操作パネル５が操作パネル面３１ａの面内で移動される。また、第１実施形態では、位置検出部９は、各可動接点９２と固定接点９４とを用いて位置を検出したが、本実施形態では、位置検出部２１は、フォトインタラプタを用いて位置を検出する。
【００６４】
以下、本実施形態について、第１実施形態と異なる点を中心に説明する。なお、本実施形態でも、第１実施形態と同様に、操作対象の電子機器をデジタル複合機とする。このデジタル複合機は、複数の機能として、コピー機能とファクス送信機能との２つの機能を有する。
【００６５】
図１０に示すように、本実施形態に係る入力装置１Ｃは、第１実施形態に係る入力装置１Ａが備える複数の構成に加えて、更に、選択キー１５と、駆動機構１７と、駆動制御部１９とを備える。また、入力装置１Ｃは、第１実施形態の位置検出部９の代わりに位置検出部２１を備える。なお、図１０では、作図の便宜上、表示制御部１１、記憶部１３及び駆動制御部１９は、第１操作パネル３の外部に図示されるが、実際は、例えば第１操作パネル３に配置される。
【００６６】
選択キー１５は、複数の操作入力モードの中から一の操作入力モードを選択可能なキーである。複数の操作入力モードの各々は、デジタル複合機が有する複数の機能の各々に対応すると共に、操作パネル面３１ａの複数の所定位置の各々に対応する。本実施形態では、操作入力モードとして、コピー操作入力モードと、ファクス送信操作入力モードとの２つの操作入力モードがある。コピー操作入力モードは、デジタル複合機のコピー機能に対応すると共に、操作パネル面３１ａの所定位置Ｐ１に対応する。ファクス送信操作入力モードは、デジタル複合機のファクス送信機能に対応すると共に、操作パネル面３１ａの所定位置Ｐ２に対応する。
【００６７】
選択キー１５は、例えば、第１操作パネル３の操作パネル面３１ａに配置される。詳しくは、選択キー１５は、操作パネル面３１ａにおける横方向Ｈ１の一端部側の最端（例えば操作パネル面３１ａの右端）に配置される。本実施形態では、選択キー１５は、コピー機能モードを選択する選択キー１５ａと、ファクス送信機能モードを選択する選択キー１５ｂとを有する。選択キー１５ａ及び選択キー１５ｂは、例えば押しボタン式のキーである。
【００６８】
駆動機構１７は、駆動制御部１９の制御に従って、第２操作パネル５を操作パネル面３１ａ内で移動させる。駆動機構１７は、ラックギヤ１７ａと、取付台１７ｂと、ギヤ１７ｃと、電動機１７ｄと、ピニオンギヤ１７ｅとを備える。ラックギヤ１７ａは、支持機構７の一方の基部７２ｄ（例えば上側の基部７２ｄ）の外側の側面７２ｆに設けられている。取付台１７ｂは、ギヤ１７ｃ及び電動機１７ｄを第１操作パネル３に取り付けるための台である。取付台１７ｂは、第１操作パネル３の側面３１ｂに固定される。ギヤ１７ｃ及びピニオンギヤ１７ｅは、取付台１７ｂの前面１７ｉに回転可能に配置される。ギヤ１７ｃは、ピニオンギヤ１７ｅと歯合すると共にラックギヤ１７ａと歯合する。電動機１７ｄは、取付台１７ｂの裏面１７ｊに配置される。電動機１７ｄは、回転軸部１７ｋを有する。回転軸部１７ｋは、電動機１７ｄの回転力を出力する。回転軸部１７ｋの先端に、ピニオンギヤ１７ｅが一体回転可能に配置される。
【００６９】
駆動機構１７では、回転軸部１７ｋが逆回転方向Ｗ１に回転されると、ピニオンギヤ１７ｅが逆回転方向Ｗ１に回転され、ギヤ１７ｃが回転方向Ｙ１に回転される。そして、ラックギヤ１７ａが右方向Ｑ１に移動される。この結果、第２操作パネル５が右方向Ｑ１に移動される。また、回転軸部１７ｋが正回転方向Ｗ２に回転されると、ピニオンギヤ１７ｅが正回転方向Ｗ２に回転され、ギヤ１７ｃが回転方向Ｙ２に回転される。そして、ラックギヤ１７ａが左方向Ｑ２に移動される。この結果、第２操作パネル５が左方向Ｑ２に移動される。
【００７０】
位置検出部２１は、操作パネル面３１ａでの第２操作パネル５の位置を検出する。具体的には、第２操作パネル５が所定位置Ｐ１又は所定位置Ｐ２に配置されたかを検出する。所定位置Ｐ１は、コピー機能に対応する位置であり、所定位置Ｐ２は、ファクス送信機能に対応する位置である。
【００７１】
位置検出部２１は、フォトインタラプタ２１１と、遮光部２１２とを備える。この構成によって、第１実施形態の位置検出部９と比べて、位置検出部２１の構成を容易にできる。フォトインタラプタ２１１は、操作パネル面３１ａに配置される。フォトインタラプタ２１１は、発光部２１１ａと、受光部２１１ｂとを備える。発光部２１１ａは光Ｃを受光部２１１ｂに向けて発光し、受光部２１１ｂは光Ｃを受光する。受光部２１１ｂは、光Ｃを受光した場合は、受光した旨の受光信号を表示制御部１１及び駆動制御部１９に出力し、光Ｃを受光しない場合は、受光しない旨の非受光信号を表示制御部１１及び駆動制御部１９に出力する。遮光部２１２は、移動台７２の移動方向に沿って、移動台７２の裏面７２ｇに立設される。
【００７２】
位置検出部２１では、第２操作パネル５が所定位置Ｐ１と所定位置Ｐ２との間に配置される場合は、遮光部２１２は、発光部２１１ａと受光部２１１ｂとの間に配置される。従って、遮光部２１２は光Ｃを遮光し、受光部２１１ｂは光Ｃを受光しない。この結果、受光部２１１ｂは、非受光信号を表示制御部１１及び駆動制御部１９に出力する。また、第２操作パネル５が所定位置Ｐ１又は所定位置Ｐ２に配置される場合は、遮光部２１２は、発光部２１１ａと受光部２１１ｂとの間に配置されない。従って、遮光部２１２は光Ｃを遮光せず、受光部２１１ｂは光Ｃを受光する。この結果、受光部２１１ｂは、受光信号を表示制御部１１及び駆動制御部１９に出力する。
【００７３】
駆動制御部１９は、選択キー１５への操作入力に応じて駆動機構１７を作動させ、位置検出部２１の出力信号（検出結果）に基づいて駆動機構１７の作動を止める。この制御によって、駆動制御部１９は、選択キー１５によって選択された操作入力モードに対応する所定位置Ｐ１又は所定位置Ｐ２（対応位置）に、第２操作パネル５を移動させる。
【００７４】
詳しくは、駆動制御部１９は、選択キー１５ａが操作されたか、又は選択キー１５ｂが操作されたかに応じて、電動機１７ｄを逆回転方向Ｗ１又は正回転方向Ｗ２に回転駆動させる。そして、駆動制御部１９は、受光部２１１ｂの出力信号に基づいて、選択キー１５によって選択された操作入力モードに対応する所定位置Ｐ１又は所定位置Ｐ２に、第２操作パネル５が移動されたか否かを検出する。
【００７５】
この検出方法の詳細は下記の通りである。即ち、駆動制御部１９は、入力装置１Ｃの起動時に、駆動機構１７を制御して、第２操作パネル５の位置を２つの所定位置Ｐ１，Ｐ２の一方の所定位置Ｐ１に配置させる。そして、駆動制御部１９は、受光部２１１ｂの出力信号が、受光信号から非受光信号に変化し再び受光信号に変化すると、第２操作パネル５が、所定位置Ｐ１から、２つの所定位置Ｐ１，Ｐ２のうちの他方の所定位置Ｐ２に移動されたことを検出する。以後、駆動制御部１９は、受光部２１１ｂの出力信号が、受光信号から非受光信号に変化し再び受光信号に変化する毎に、第２操作パネル５が現在配置される所定位置から他方の所定位置に移動されたことを検出する。
【００７６】
そして、駆動制御部１９は、選択キー１５で選択された操作入力モードに対応する所定位置Ｐ１又は所定位置Ｐ２に、第２操作パネル５が移動されたことを検出すると、駆動機構１７の作動を止める。このように、上記の検出によって駆動機構１７の作動が止められるため、正確に、第２操作パネル５を、選択キー１５で選択された操作入力モードに対応する所定位置に配置できる。
【００７７】
本実施形態では、表示制御部１１は、位置検出部２１の出力信号に基づいて第２操作パネル５の位置を検出し、検出した位置に対応する操作画面を表示部５２ａに表示する。その際、表示制御部１１は、駆動制御部１９での検出方法と同じ検出方法で第２操作パネル５の位置を検出する。
【００７８】
次に図１１を参照して、駆動機構１７及び位置検出部２１について更に説明する。図１１は、図１０のXI-XI線に沿った断面図である。
【００７９】
駆動機構１７は、上述のように、ラックギヤ１７ａと、取付台１７ｂ、ギヤ１７ｃと、電動機１７ｄと、ピニオンギヤ１７ｅとを備える。
【００８０】
ラックギヤ１７ａは、支持機構７の一方の基部７２ｄの外側の側面７２ｆに設けられている。ラックギヤ１７ａは、側面７２ｆの長手方向（即ち横方向Ｈ１）に沿って設けられている。
【００８１】
取付台１７ｂは、固定部１７ｆと、配置部１７ｇと、回転軸部１７ｈとを有する。固定部１７ｆは、例えば矩形の平板状である。固定部１７ｆは、例えば、締結部材（不図示、例えばビス）によって第１操作パネル３の側面３１ｂに固定される。側面３１ｂは、第２操作パネル５の移動方向（即ち横方向Ｈ１）に平行な側面である。配置部１７ｇは、例えば矩形の平板状である。配置部１７ｇは、第１操作パネル３の操作パネル面３１ａに平行で且つ第１操作パネル３の側方に張り出すように、固定部１７ｆの一辺から延設されている。回転軸部１７ｈは、配置部１７ｇの前面１７ｉに立設されている。
【００８２】
ギヤ１７ｃは、回転軸部１７ｈに回転可能に配置される。ギヤ１７ｃは、ラックギヤ１７ａと噛合される。電動機１７ｄは、例えばモーターである。電動機１７ｄは、配置部１７ｇの裏面１７ｊに配置される。電動機１７ｄは、回転軸部１７ｋを有する。回転軸部１７ｋは、電動機１７ｄの回転力を出力する。回転軸部１７ｋは、配置部１７ｇの孔部（不図示）を通って、配置部１７ｇの前面１７ｉから突出される。ピニオンギヤ１７ｅは、回転軸部１７ｋの先端部に一体回転可能に配置される。ピニオンギヤ１７ｅは、ギヤ１７ｃと噛合される。
【００８３】
位置検出部２１は、上述のように、フォトインタラプタ２１１と、遮光部２１２とを備える。フォトインタラプタ２１１は、例えば透過型のフォトインタラプタである。フォトインタラプタ２１１は、発光部２１１ａ及び受光部２１１ｂに加えて、支持部材２１１ｃを更に備える。
【００８４】
発光部２１１ａと受光部２１１ｂとは、互いに間隔を空け、互いに対向して配置される。発光部２１１ａと受光部２１１ｂとの対向方向は、移動台７２の移動方向（即ち横方向Ｈ１）と直交する。支持部材２１１ｃは、発光部２１１ａ及び受光部２１１ｂを支持する。
【００８５】
遮光部２１２は、例えば矩形の平板状である。遮光部２１２は、移動台７２の裏面７２ｇに立設される。換言すれば、遮光部２１２は、移動台７２を介して第２操作パネル５の裏面５１ｂに配置される。遮光部２１２は、第２操作パネル５の移動に伴って移動される。この移動に伴って、遮光部２１２は、発光部２１１ａと受光部２１１ｂとの間を通過する。
【００８６】
次に図１０及び図１２を参照して、入力装置１Ｃの動作を説明する。図１２は、本実施形態に係る入力装置１Ｃの動作を示したフローチャートである。以下の説明では、選択キー１５ａによってコピー機能モードが選択された際の駆動制御部１９の動作を説明する。
【００８７】
ステップＳ１では、駆動制御部１９は、利用者が選択キー１５ａを操作することを待つ状態である。そして、選択キー１５ａが操作されない場合（ＮＯ）は、ステップＳ１の処理が継続される。そして、選択キー１５ａが操作された場合（ＹＥＳ）は、処理がステップＳ２に進む。
【００８８】
ステップＳ２では、駆動制御部１９は、第２操作パネル５が所定位置Ｐ１に配置されているか否かを検出する。所定位置Ｐ１は、コピー機能モードに対応する所定位置である。この検出結果が肯定の場合（ＹＥＳ）は、処理がステップＳ３に進む。ステップＳ３では、駆動制御部１９は、電動機１７ｄを作動させない。既に、第２操作パネル５は所定位置Ｐ１に配置されているからである。そして、処理が終了する。また、ステップＳ２の検出の結果が否定の場合（ＮＯ）、即ち、第２操作パネル５が所定位置Ｐ２に配置されている場合は、処理がステップＳ４に進む。
【００８９】
ステップＳ４では、駆動制御部１９は、電動機１７ｄを逆回転方向Ｗ１に回転駆動させる（図１０参照）。この結果、ラックギヤ１７ａが右方向Ｑ１に移動し、第２操作パネル５が右方向Ｑ１に移動する。そして、処理がステップＳ５に進む。ステップＳ５では、駆動制御部１９は、第２操作パネル５が所定位置Ｐ１に配置されているか否かを検出する。この検出結果が否定の場合（ＮＯ）は、処理がステップＳ４に戻り、駆動制御部１９は、電動機１７ｄを逆回転方向Ｗ１に回転駆動させ続ける。ステップＳ５の検出の結果が肯定の場合（ＹＥＳ）は、処理がステップＳ６に進む。ステップＳ６では、駆動制御部１９は、電動機１７ｄの回転駆動を停止させる。そして、処理が終了する。
【００９０】
なお、選択キー１５ｂによってファクス送信機能モードが選択された場合の動作は、図１２の動作において、ステップＳ１の「選択キー１５ａ」が「選択キー１５ｂ」に変更され、ステップＳ２及びＳ５の「所定位置Ｐ１」が「所定位置Ｐ２」に変更され、ステップＳ４の「逆回転方向Ｗ１」が「正回転方向Ｗ２」に変更される。
【００９１】
本実施形態によれば、駆動制御部１９が、選択キー１５の操作に基づいて駆動機構１７を制御して第２操作パネル５を所定位置に移動させる。このため、選択キー１５を操作するだけの簡単な操作で、第２操作パネル５を所定位置に移動させることができる。この結果、手動で第２操作パネル５を移動させる煩わしさを無くせる。
【００９２】
＜第３実施形態の変形例１＞
第３実施形態では、選択キー１５は、メカニカルな操作キーとして第１操作パネル３に配置されるが、このように限定されない。例えば、選択キー１５を、タッチ操作可能なボタン画像として、第２操作パネル５に表示される操作画面に表示させてもよい。この場合は、複数の操作画面の全てにおいて、選択キー１５のボタン画像を表示させることが望ましい。どの操作画面からでも操作入力モードの切り替えを可能にするためである。
【００９３】
＜第３実施形態の変形例２＞
第３実施形態では、駆動制御部１９の検出結果に基づいて電動機１７ｄが停止するが、このように限定されない。例えば、第２操作パネル５が所定位置Ｐ１と所定位置Ｐ２との間を移動するのに要する移動時間を予め測定し、その測定値を駆動制御部１９に設定しておく。そして、第２操作パネル５を、２つの所定位置Ｐ１，Ｐ２の一方から他方に移動させる際、駆動制御部１９によって当該移動時間だけ電動機１７ｄを作動させてもよい。
【００９４】
＜第３実施形態の変形例３＞
第３実施形態では、フォトインタラプタ２１１が操作パネル面３１ａに配置され、遮光部２１２が移動台７２の裏面７２ｇに配置されるが、遮光部２１２が操作パネル面３１ａに配置され、フォトインタラプタ２１１が移動台７２の裏面７２ｇに配置されてもよい。
【００９５】
＜第３実施形態の変形例４＞
第３実施形態では、駆動機構１７の取付台１７ｂは、第１操作パネル３の側面３１ｂに固定されるが、このように限定されない。例えば、取付台１７ｂは、第１操作パネル３の裏面３１ｃに固定されてもよい。
【００９６】
＜第４実施形態＞
図１３を参照して、本実施形態に係るデジタル複合機について説明する。図１３は、本実施形態に係るデジタル複合機の概略構成を示したブロック図である。本実施形態に係るデジタル複合機は、第１実施形態に係る入力装置１Ａを備えた電子機器の一例である。
【００９７】
本実施形態に係るデジタル複合機１００は、複数の機能（例えばコピー機能及びファクス送信機能）を備えたデジタル方式の複写機である。デジタル複合機１００は、入力装置１Ａと、機器本体１１０とを備える。機器本体１１０は、入力装置１Ａに入力された操作に応じて作動する。機器本体１１０は、原稿読取部１０１と、画像記憶部１０２と、印刷部１０３と、通信部１０４と、制御部１０５とを備える。
【００９８】
第１実施形態において既に説明したように、入力装置１Ａは、第１操作パネル３、第２操作パネル、位置検出部９及び表示制御部１１を備える。入力装置１Ａは、デジタル複合機１００に対する操作が入力される。第１操作パネル３は、複数の操作キー３２が操作されると、当該操作キー３２が操作されたことを示す信号を制御部１０５に出力する。また、第２操作パネル５は、表示部５２ａに表示された操作画面のボタン画像がタッチ操作されると、タッチ操作されたボタン画像の位置に関する信号を制御部１０５に出力する。また、表示制御部１１は、表示部５２ａに表示された操作画面の情報に関する信号を制御部１０５に出力する。また、位置検出部９は、その検出結果を示す信号を制御部１０５に出力する。
【００９９】
原稿読取部１０１は、原稿に記載された画像を読み取る。原稿読取部１０１は、原稿載置台１０１ａと画像センサー１０１ｂとを備える。画像センサー１０１ｂは、原稿載置台１０１ａに載置された原稿をスキャンして、原稿の裏面に記載された画像を画像データとして読み取る。原稿読取部１０１は、制御部１０５の制御に従って、原稿載置台１０１ａに載置された原稿を画像センサーによって読み取り、読み取った画像の画像データを画像記憶部１０２に記憶する。
【０１００】
画像記憶部１０２は、例えば揮発性の記憶装置である。画像記憶部１０２は、原稿読取部１０１によって読み取られた画像の画像データを記憶する。
【０１０１】
印刷部１０３は、画像記憶部１０２に記憶された画像データに基づいて、用紙に画像を印刷する。印刷部１０３は、給紙カセット１０３ａと、画像形成部１０３ｂとを備える。給紙カセット１０３ａは、画像形成部１０３ｂに用紙を供給する。画像形成部１０３ｂは、画像データに基づいて用紙に画像を形成する。
【０１０２】
通信部１０４は、公衆回線（例えば電話回線）を介して外部のファクシミリ装置との間でデータ通信を行う。通信部１０４は、制御部１０５の制御に従って、制御部１０５によって指定された送信先（即ち、入力装置１Ａに入力された送信先）に、画像記憶部１０２に記憶された画像データを送信する。
【０１０３】
制御部１０５は、入力装置１Ａからの信号に基づいて、原稿読取部１０１、画像記憶部１０２、印刷部１０３及び通信部１０４の各々の動作を組み合わせて、コピー機能又はファクス送信機能を実行する。
【０１０４】
制御部１０５は、第１操作パネル３からの信号に基づいて、第１操作パネル３に入力された操作の内容を検出する。また、制御部１０５は、表示制御部１１及び第２操作パネル５からの信号に基づいて、第２操作パネル５に入力された操作の内容を検出する。
【０１０５】
制御部１０５は、位置検出部９からの信号に基づいて、第２操作パネル５が配置される所定位置Ｐ１又は所定位置Ｐ２を検出する。所定位置Ｐ１は、コピー機能に対応する位置であり、所定位置Ｐ２は、ファクス送信機能に対応する位置である。制御部１０５は、複数の機能モード（例えばコピー機能モードとファクス送信機能モード）を有する。制御部１０５は、第２操作パネル５の位置に応じて機能モードを切り換える。
【０１０６】
制御部１０５は、コピー機能モード時に、第１操作パネル３のスタートボタン３２ｃ１が操作されると、第１操作パネル３及び第２操作パネル５に入力された操作に基づいて、原稿読取部１０１、画像記憶部１０２及び印刷部１０３を制御して、コピー機能を実行させる。また、制御部１０５は、ファクス送信機能モード時に、第１操作パネル３のスタートボタン３２ｃ１が操作されると、第１操作パネル３及び第２操作パネル５に入力された操作に基づいて、原稿読取部１０１、画像記憶部１０２及び通信部１０４を制御して、ファクス送信機能を実行させる。
【０１０７】
以上、図面（図１〜図１３）を参照しながら本発明の実施形態及び変形例を説明した。但し、本発明は、上記の実施形態及び変形例に限られるものではなく、その要旨を逸脱しない範囲で種々の態様において実施することが可能である。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の材質や形状、寸法等は一例であって、特に限定されるものではなく、本発明の効果から実質的に逸脱しない範囲で種々の変更が可能である。
【符号の説明】
【０１０８】
１Ａ，１Ｂ，１Ｃ  入力装置
３  第１操作パネル
５  第２操作パネル
７  支持機構
９  位置検出部
１１  表示制御部
１５，１５ａ，１５ｂ  選択キー
１７  駆動機構
１７ａ  ラックギヤ
１７ｃ  ギヤ
１７ｄ  電動機
１９  駆動制御部
２１  位置検出部
３１ａ  操作パネル面
３２  操作キー
５２  タッチパネル
５２ａ  表示部
７１  ガイドレール
７２ｂ  係合部
９２  可動接点
９４  固定接点
１００  デジタル複合機
１１０  機器本体
２１１ａ  発光部
２１１ｂ  受光部
２１２  遮光部
Ｃ  光
Ｇ１，Ｇ２  操作画面
Ｈ１  横方向
Ｈ２  縦方向
Ｐ１，Ｐ２，Ｐ３，Ｐ４，Ｐ５  所定位置
【図１】
2017010156.tif 000003
【図２】
2017010156.tif 000004
【図３】
2017010156.tif 000005
【図４】
2017010156.tif 000006
【図５】
2017010156.tif 000007
【図６】
2017010156.tif 000008
【図７】
2017010156.tif 000009
【図８】
2017010156.tif 000010
【図９】
2017010156.tif 000011
【図１０】
2017010156.tif 000012
【図１１】
2017010156.tif 000013
【図１２】
2017010156.tif 000014
【図１３】
2017010156.tif 000015